(57)【要約】【課題】本発明は、尿取りパッドの遊動性が制御され、かつ尿取りパッドと併用する吸収性物品の吸収性能及び吸収体の保型性も良好な吸収性物品を提供することを目的とする。【解決手段】吸収性物品１における吸収体３の少なくともクロッチ部３ｂに所定の薄肉部３１を設け、上層吸収体及び下層吸収体からなる吸収体３における上層吸収体のクロッチ部３ｂに、所定の上層スリット部３２１を４本所定の位置に設ける吸収性物品１である。【選択図】図１
2018102592.tif 000002
【特許請求の範囲】
【請求項１】
液透過性のトップシートと、液不透過性のバックシートと、トップシート及びバックシートの間に配置された吸収体と、を有する吸収性物品であって、
前記吸収体は、腹側部と、背側部と、前記腹側部及び前記背側部の間に位置し、前記吸収体の幅方向の寸法が最も狭い領域を含む、幅方向両側端部の形状が直線状であるクロッチ部とを設け、
前記吸収体の長手方向中心線は、前記クロッチ部に位置し、
前記吸収体は、少なくとも前記クロッチ部に略四角形状の薄肉部を設け、
前記薄肉部の厚さは、前記吸収体の厚さに対して６０％以上８０％以下であり、
前記薄肉部の長手方向の寸法は、前記吸収体の長手方向の寸法に対して５５％以上８５％以下であり、前記薄肉部における、前記吸収体の長手方向中心線上の幅方向の寸法は、前記吸収体の長手方向中心線上の幅方向の寸法に対して７０％以上９０％以下であり、
前記吸収体は、上層吸収体及び下層吸収体の２層からなり、
前記上層吸収体の前記クロッチ部に、前記上層吸収体の長手方向に延在し、フラッフパルプ及び高吸収性ポリマーを含まない、直線状の上層スリット部を４本設け、
前記４本の上層スリット部は、前記上層吸収体の幅方向に等間隔に位置し、かつ、前記上層吸収体の幅方向中心線に対して対称である一対の上層スリット部を２組有し、
前記上層吸収体の幅方向中心線を挟んで内側に位置する一対の上層内側スリット部の長手方向の各寸法は、前記上層吸収体の前記クロッチ部の長手方向の寸法に対して７０％以上１００％以下であり、
前記一対の上層内側スリット部の外側に位置する一対の上層外側スリット部の長手方向の各寸法は、前記上層吸収体の前記クロッチ部における長手方向の寸法に対して４０％以上６０％以下であり、
前記上層吸収体の幅方向中心線から、前記一対の上層外側スリット部に至る上層スリット部配置領域における、前記上層吸収体の長手方向中心線上の幅方向の寸法は、前記上層吸収体の長手方向中心線上の幅方向の寸法に対して５０％以上７０％以下である吸収性物品。
【請求項２】
前記上層吸収体及び前記下層吸収体において、フラッフパルプと高吸収性ポリマーの重量比は、それぞれ３：１から６：１である、請求項１に記載の吸収性物品。
【請求項３】
前記下層吸収体の前記クロッチ部に、前記下層吸収体の長手方向に延在し、フラッフパルプ及び高吸収性ポリマーを含まない、直線状の下層スリット部を２本設け、
前記２本の下層スリット部は、前記上層吸収体の上層内側スリット部と、厚さ方向で少なくとも一部が重なるように配置されている、請求項１又は請求項２に記載の吸収性物品。
【発明の詳細な説明】
【技術分野】
【０００１】
本発明は、テープ止めタイプ紙おむつ、パンツタイプ紙おむつ等の吸収性物品で、特に尿取りパッドを併用するタイプの紙おむつに関する。
【背景技術】
【０００２】
一般的に大人用紙おむつには、テープ止めタイプ紙おむつ、パンツタイプ紙おむつ等の吸収性物品があり、これらの紙おむつは着用者の排泄における介護の必要度に応じて、適宜選択されて使用される。これらの吸収性物品は、液透過性のトップシートと、液不透過性のバックシートと、両シートの間に配置された吸収体と、で構成されている。このような構成を採用することにより、尿等の体液は、トップシートを透過して吸収体に吸収され、バックシートにより外部へ漏れないようになっている。これらの吸収性物品には、体液の吸収性の向上、着用者の装着感の向上、漏れ防止等を図るために、様々な工夫がなされている。
【０００３】
ところで、テープ止めタイプ紙おむつや、パンツタイプ紙おむつは、それ自体を単独で使用する場合の他に、紙おむつの内側に尿取りパッド（軽失禁パッド、インナーパッドともいう。）を併用する場合もある。これは、紙おむつ一枚あたりの価格が、尿取りパッド一枚あたりの価格に比して高い場合が多いため、安価な尿取りパッドで排泄物を吸収して保持した後、尿取りパッドのみを交換することで、コストの高い紙おむつを交換せずに済み、経済的に低いコストで紙おむつを使用できるためである。このような紙おむつの使用態様の変化に対応して、近年では、テープ止めタイプ紙おむつや、パンツタイプ紙おむつと併用することを想定した尿取りパッドも開発されている。
【０００４】
一般に、テープ止めタイプ紙おむつは、介護度が重度の着用者であって、寝た状態で過ごす時間が長い着用者が着用している場合が多い。このような介護度が重度の着用者は、紙おむつを着用したまま排泄することが大半であるため、紙おむつから排泄物が漏れないことは、紙おむつの重要な品質となっている。また、介護度が重度の着用者の場合、紙おむつの交換に介護が必要な場合が多く、多量の排泄物や、繰り返しの排泄物の排出の後、着用者自身が適時に紙おむつを交換することが困難な場合もあり、多量の排泄物や、繰り返しの排泄物の排出に対しても、吸収体内における体液の拡散経路が確保され、吸収性能が落ちにくいことも重要な品質となっている。
【０００５】
例えば、テープ止めタイプ紙おむつや、パンツタイプ紙おむつと併用する尿取りパッドに着目したものとして、特許文献１には、圧搾によることなく凹溝状又はスリット状に形成した吸収体凹部を備え、透液性表面シートの表面側からのエンボスにより、吸収体凹部の内部に吸収体凹部に沿って、吸収体凹部の溝幅より小さなエンボス幅で付与されたエンボス部を設けた尿取りパッドが開示されている。また、特許文献２には、下層吸収体に長手方向に延び上側開口部と少なくとも部分的に重なる下側開口部を設け、上層吸収体と下層吸収体の間に、複数の高吸収性ポリマー（ＳＡＰ）を、少なくとも上側開口部と下側開口部とが重なる開口貫通部分の幅方向の左右両側に配置して形成したＳＡＰ層を設けた尿取りパッドが開示されている。
【先行技術文献】
【特許文献】
【０００６】
【特許文献１】特開２０１５−４７４３２号公報
【特許文献２】特開２０１６−１４０５５９号公報
【発明の概要】
【発明が解決しようとする課題】
【０００７】
ところが、尿取りパッドをテープ止めタイプ紙おむつや、パンツタイプ紙おむつ等の紙おむつに併用する場合、着用者の寝起きや寝返り等の日常動作によって、尿取りパッドが排泄部から移動したり、ヨレたりする場合があるほか、移動した結果、想定外の外力を受け変形したりする場合がある。このような場合、吸収パッドの吸収性能が十分に発揮されず、尿取りパッドの再配置が必要になり、再配置しない場合にはテープ止めタイプ紙おむつや、パンツタイプ紙おむつで排泄物を吸収することになり、尿取りパッドとの併用の利点が生かせないことになる。
【０００８】
この点、引用文献１や引用文献２は、尿取りパッドに着目してはいるが、尿取りパッドを配置するテープ止めタイプ紙おむつや、パンツタイプ紙おむつ等における、尿取りパッドの遊動については、十分な対策がなされているとは言い難い。
【０００９】
したがって、本発明は、尿取りパッドの遊動性が制御され、かつ尿取りパッドと併用する吸収性物品の吸収性能の他に吸収体の保型性も良好な吸収性物品を提供することを目的とする。
【課題を解決するための手段】
【００１０】
本発明者らは、上記課題に鑑み、鋭意研究を行った。その結果、吸収性物品における吸収体の少なくともクロッチ部に所定の薄肉部を設け、上層吸収体及び下層吸収体からなる吸収体における上層吸収体のクロッチ部に、所定の上層スリット部を４本所定の位置に設けることで、上記課題を解決できることを見出し、本発明を完成するに至った。具体的には、本発明は以下のものを提供する。
（１）本発明の実施形態は、液透過性のトップシートと、液不透過性のバックシートと、トップシート及びバックシートの間に配置された吸収体と、を有する吸収性物品であって、前記吸収体は、腹側部と、背側部と、前記腹側部及び前記背側部の間に位置し、前記吸収体の幅方向の寸法が最も狭い領域を含む、幅方向両側端部の形状が直線状であるクロッチ部とを設け、前記吸収体の長手方向中心線は、前記クロッチ部に位置し、前記吸収体は、少なくとも前記クロッチ部に略四角形状の薄肉部を設け、前記薄肉部の厚さは、前記吸収体の厚さに対して６０％以上８０％以下であり、前記薄肉部の長手方向の寸法は、前記吸収体の長手方向の寸法に対して５５％以上８５％以下であり、前記薄肉部における、前記吸収体の長手方向中心線上の幅方向の寸法は、前記吸収体の長手方向中心線上の幅方向の寸法に対して７０％以上９０％以下であり、前記吸収体は、上層吸収体及び下層吸収体の２層からなり、前記上層吸収体の前記クロッチ部に、前記上層吸収体の長手方向に延在し、フラッフパルプ及び高吸収性ポリマーを含まない、直線状の上層スリット部を４本設け、前記４本の上層スリット部は、前記上層吸収体の幅方向に等間隔に位置し、かつ、前記上層吸収体の幅方向中心線に対して対称である一対の上層スリット部を２組有し、前記上層吸収体の幅方向中心線を挟んで内側に位置する一対の上層内側スリット部の長手方向の各寸法は、前記上層吸収体の前記クロッチ部の長手方向の寸法に対して７０％以上１００％以下であり、前記一対の上層内側スリット部の外側に位置する一対の上層外側スリット部の長手方向の各寸法は、前記上層吸収体の前記クロッチ部における長手方向の寸法に対して４０％以上６０％以下であり、前記上層吸収体の幅方向中心線から、前記一対の上層外側スリット部に至る上層スリット部配置領域における、前記上層吸収体の長手方向中心線上の幅方向の寸法は、前記上層吸収体の長手方向中心線上の幅方向の寸法に対して５０％以上７０％以下である吸収性物品である。
（２）前記（１）に記載の吸収性物品において、前記上層吸収体及び前記下層吸収体において、フラッフパルプと高吸収性ポリマーの重量比は、それぞれ３：１から６：１であってもよい。
（３）前記（１）又は（２）に記載の吸収性物品において、前記下層吸収体の前記クロッチ部に、前記下層吸収体の長手方向に延在し、フラッフパルプ及び高吸収性ポリマーを含まない、直線状の下層スリット部を２本設け、前記２本の下層スリット部は、前記上層吸収体の上層内側スリット部と、厚さ方向で少なくとも一部が重なるように配置されてもよい。
【発明の効果】
【００１１】
本発明の吸収性物品は、吸収体の少なくともクロッチ部に所定の薄肉部を設けている。これにより、本発明の吸収性物品を、尿取りパッドを併用するテープ止めタイプ紙おむつや、パンツタイプ紙おむつ等の吸収性物品とした場合、薄肉部で、尿取りパッドを収容し、尿取りパッドの遊動を制御することができる。また、本発明の吸収性物品は、上層吸収体及び下層吸収体からなる吸収体における上層吸収体のクロッチ部に、所定の上層スリット部を４本所定の位置に設けている。これにより、着用者の寝起きや寝返り等の日常動作に対しても、寝た状態で過ごす時間が長い着用者の着用時の外力等に対しても、吸収体が追従して変形することを可能とする。そのため、吸収性物品の吸収体が、尿取りパッドの遊動を効率的に制御することができ、かつ併用された吸収性物品の吸収性能の他に吸収体の保型性も良好なものとすることができる。
【図面の簡単な説明】
【００１２】
【図１】本発明の実施形態に係る吸収性物品をトップシート側から見た平面図である。
【図２】図１における吸収性物品において、吸収体の薄肉部を説明するための説明図である。
【図３】図１における吸収性物品において、吸収体の上層スリット部の長手方向の配置を説明するための説明図である。
【図４】図１における吸収性物品において、吸収体の上層スリット部の幅方向の配置を説明するための説明図である。
【図５】（ａ）は図１におけるＢ−Ｂ断面における吸収体の上層スリット部及び下層スリット部を説明するための説明図であり、（ｂ）は図１における吸収性物品に尿取りパッドを配置し、吸収性物品の使用時を想定して吸収性物品を撓ませたときにおける、図１のＢ−Ｂ断面を説明する説明図である。
【発明を実施するための形態】
【００１３】
以下に本発明の実施形態について詳細に説明するが、これらは例示の目的で掲げたものでこれらにより本発明を限定するものではない。なお、実施形態の説明の全体を通して同じ要素には同じ番号を付している。また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、肌当接面とは、吸収体３等の各部材の表裏両面のうち、着用時に着用者の肌側に配される面であり、非肌当接面とは、吸収体３等の各部材の表裏両面のうち、着用時に着用者の肌側とは反対側に向けられる面である。体液とは、尿や血液、軟便中の水分等の体内から体外に排出された液体をいう。さらに、吸収性物品１としては、ベビー用又は成人用を問わず、テープ止めタイプ紙おむつ、パンツタイプ紙おむつが例示されるが、これらに限定されるものではなく、その他の吸収性物品であってもよい。
【００１４】
［吸収性物品］
図１は、本発明の実施形態に係る吸収性物品１をトップシート２側から見た平面図である。吸収性物品１は、肌当接面側に配された液透過性のトップシート２と、トップシート２に対向して配置された液不透過性のバックシートと、トップシート２とバックシートとの間に配置された吸収体３と、を備える。これにより、吸収体３は、トップシート２とバックシートの間に挟まれた構造となり、吸収性物品の構造となる。また、本発明の吸収性物品１は、着用者の腹部を覆う腹側部と、着用者の背部を覆う背側部と、腹側部と背側部の間に位置し、吸収性物品１の幅方向の寸法が最も狭い領域を含む、幅方向両側端部の形状が直線状であるクロッチ部とを有する。クロッチ部は、吸収性物品１の幅方向の寸法が最も狭い領域を含んでいればよく、吸収性物品１の長手方向中心線から背側部に向けてクロッチ部の幅方向の寸法が拡大し、吸収性物品１の長手方向中心線から腹側部に向けてクロッチ部の幅方向の寸法が縮小するような形状であってもよく、クロッチ部の幅方向の寸法を一定とする形状であってもよい。また、クロッチ部と、腹側部及び背側部との間の形状は、斜線状であってもよく、曲線状であってもよい。なお、吸収性物品１におけるクロッチ部と、後述する吸収体３におけるクロッチ部３ｂとの長手方向における位置は同一であってもよいし、同一でなくてもよい。
【００１５】
〔トップシート〕
トップシート２は、体液が吸収体３へと移動するような液透過性を備えた基材から形成されればよく、例えば、エアスルー不織布、サーマルボンド不織布、スパンボンド不織布、サーマルボンド／スパンボンドを積層した複合不織布等の不織布、開口ポリエチレンフィルム等の開口性フィルム、ポリエチレンフォーム、ウレタンフォーム等の発泡フィルムのほか、これらを積層した複合シートといった材料から形成される。また、トップシート２には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２には、ローション、酸化防止剤、抗炎症成分、ｐＨ調整剤、抗菌剤、保湿剤等を含有させてもよい。
【００１６】
強度、加工性及び液戻り量の点から、トップシート２の坪量は、１８ｇ／ｍ２以上４０ｇ／ｍ２以下であることが好ましい。トップシート２の形状としては特に制限はないが、漏れがないように体液を吸収体３へと誘導するために必要とされる、吸収体３を覆う形状であればよい。
【００１７】
（立体ギャザー）
図１に示すように、吸収性物品１には、使用者の排泄した体液の横漏れを防止するため、吸収性物品１の長手方向に沿って、トップシート２上に、立体ギャザー用弾性部材と立体ギャザーシートを有する一対の立体ギャザー２１を備えていてもよい。立体ギャザー２１は、吸収性物品１の幅方向端部（固定端）において、バックシートに固定されており、自由端側は、端部にて二つ折りにされていることが好ましい。そして、立体ギャザー用弾性部材は、二つ折りにされた自由端側の立体ギャザーシートに挟持されていることが好ましい。これにより、立体ギャザー２１が起立性を有し、着用者の体型に合わせて変形可能なものとすることができる。立体ギャザー用弾性部材としては、例えば、ポリウレタン糸、帯状のポリウレタンフィルム、合成ゴム、糸状又は帯状の天然ゴム等が使用され、立体ギャザーシートとしては、疎水性繊維にて形成された撥水性又は不透液性の不織布、例えば、スパンボンド不織布やメルトブローン不織布、スパンボンド／メルトブローン／スパンボンドを積層した複合不織布等が使用される。立体ギャザー用弾性部材の太さは、６２０ｄｔｅｘ以下であることが好ましい。
【００１８】
〔バックシート〕
バックシートは、吸収体３が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布、メルトブローン不織布等、スパンボンド／メルトブローン、スパンボンド／メルトブローン／スパンボンドを積層した複合不織布等、これらの複合材料等が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００１９】
強度及び加工性の点から、バックシートの坪量は、１５ｇ／ｍ２以上４０ｇ／ｍ２以下であることが好ましい。また、装着時の蒸れを防止するため、バックシートには、通気性を持たせることが好ましい。バックシートに通気性を備えさせるためには、例えば、基材の樹脂フィルムにフィラーを配合したり、バックシートに穿孔のためにエンボス加工を施したりすればよい。なお、フィラーとしては炭酸カルシウムを挙げることができ、その配合方法は、公知の方法を制限なく行うことができる。
【００２０】
＜サイドフラップ＞
図１に示すように、本発明の吸収性物品１は、バックシートの腹側部及び背側部の幅方向両側端部に、一対のサイドフラップ４１をそれぞれ形成してもよい。また、背側部のサイドフラップ４１それぞれの、幅方向の外側端部である、自由端側の幅方向側端部にはサイドパネル４１１を設けてもよく、サイドパネル４１１の幅方向の外側端部である、自由端側の幅方向側端部には２つのファスニングテープ４１２を設けてもよい。また、サイドパネル４１１とファスニングテープ４１２とは、別々の部材により形成されたものに限定されず、両者が一体となって形成されたものであってもよい。また、片方のサイドパネル４１１上の２つのファスニングテープ４１２は、吸収性物品１の長手方向に沿って離間して設けられていてもよい。ファスニングテープ４１２は肌当接面側に、腹側部と背側部とを締結するための面ファスナーを構成するフック部材からなる締結手段４１３を設けるとともに、各ファスニングテープ４１２の幅方向の外側端部の先端部には、つまみしろ４１４を設けてもよい。一方、腹側部の衣類側表面には、面ファスナーを構成するループ部材で形成されたターゲットテープ（図示しない）を設けてもよい。吸収性物品１を着用者に装着した状態では、締結手段４１３がループ部材であるターゲットテープに固定される。これにより、本発明の吸収性物品１をテープ止めタイプ紙おむつの構成とすることができる。
【００２１】
なお、サイドフラップ４１の基材としては、ポリエチレン、ポリプロピレン、ポリスチレン等からなる不織布を挙げることができ、これらの基材を単独で、又は複数組み合わせてもよい。また、サイドパネル４１１及びファスニングテープ４１２の基材としては、ポリエチレン、ポリプロピレン、ポリスチレン等からなる樹脂フィルムや不織布を挙げることができ、これらの基材を単独で、又は複数組み合わせてもよい。また、フック部材とは、面ファスナーを構成する部材のうち、フック状突起からなる部材を指し、ループ部材とは、フック部材と対を成す部材であって、ループ状に密集して起毛された部材を指す。面ファスナーは、このフック部材とループ部材とが対となって構成されている。吸収性物品１を着用する場合、背側部を着用者の背部にあてた状態で、腹側部を着用者の腹部側に持っていき、ファスニングテープ４１２をターゲットテープに締結することで、着用者に装着させることができる。
【００２２】
＜レッグギャザー＞
本発明の吸収性物品１は、吸収性物品１の腹側部からクロッチ部を経て背側部に渡って、左右一対のレッグギャザー（図示しない）を設けてもよい。レッグギャザーは、例えば、糸ゴムなどの弾性部材と不織ウェブ等のシートによって形成される。レッグギャザーを設けることにより、股下周りの部位におけるフィット感を向上させることができる。
【００２３】
＜ウエストギャザー＞
本発明の吸収性物品１は、吸収性物品１を着用者のウエストの周囲に接するように形成され、吸収性物品１の長手方向両端部がウエスト部（図示しない）に密着するように構成されたウエストギャザー（図示しない）を設けてもよい。ウエストギャザーは、糸状、ストリップ状、ウエストベルト状などの如何なる形状でもよく、吸収性物品１の長手方向よりも幅方向に沿って配置され、吸収性物品１の伸縮特性を制御するものである。ウエストギャザーとしては、例えば、単数又は複数の糸ゴム、不織ウェブに糸ゴムが固着されたウエストベルト、エラストマーフィルム、弾性発泡材、エラストマー布などの任意の弾性収縮材料を用いることができる。
【００２４】
＜インジケータ＞
本発明の吸収性物品１は、吸収体３とバックシートとの間に、体液で濡れると顕在化して体液が排出されたことを外部から識別可能にするインジケータ手段（図示しない）を設け、バックシートの幅方向中心部に長手方向に直線状に延在するように複数本設けてもよい。インジケータ手段は、例えば、ポリエチレングリコールやグリセリン等のベースポリマーに、エチルレッド、ブロモフェノールブルー等の指示剤、ワックス等の接着剤を混合してホットメルトで接着したものであってもよい。
【００２５】
〔吸収体〕
図１に示すように、本発明の吸収性物品１において、吸収体３は、着用者の腹部に位置する腹側部３ａと、着用者の背部に位置する背側部３ｃと、腹側部３ａ及び背側部３ｃの間に位置し、吸収体３の幅方向の寸法が最も狭い領域を含む、幅方向両側端部の形状が直線状であるクロッチ部３ｂと、を設けている。なお、吸収体３のクロッチ部３ｂは、吸収体３の幅方向の寸法が最も狭い領域を含んでいればよく、吸収体３の長手方向中心線から背側部３ｃに向けてクロッチ部３ｂの幅方向の寸法が拡大し、吸収体３の長手方向中心線から腹側部３ａに向けてクロッチ部３ｂの幅方向の寸法が縮小するような形状であってもよく、クロッチ部３ｂの幅方向の寸法を一定とする形状であってもよい。また、クロッチ部３ｂと、腹側部３ａ及び背側部３ｃとの間の形状は、斜線状であってもよく、曲線状であってもよい。なお、吸収性物品１におけるクロッチ部と、吸収体３におけるクロッチ部３ｂとの長手方向における位置は同一であってもよいし、同一でなくてもよい。
【００２６】
クロッチ部３ｂの長手方向の寸法は、吸収体３の長手方向の寸法に対して、略３分の１の寸法であることが好ましく、２７％以上３８％以下の寸法であることがより好ましい。また、クロッチ部３ｂの長手方向の寸法は、適宜設定することができるが、例えば、１７０ｍｍ以上３５０ｍｍ以下であることが好ましく、２００ｍｍ以上３５０ｍｍ以下であることがより好ましい。
【００２７】
また、吸収体３の長手方向中心線は、クロッチ部３ｂに位置する。また、吸収体３は、上層吸収体３０１及び下層吸収体３０２の２層からなる。
【００２８】
＜薄肉部＞
図２に示すとおり、吸収体３は、少なくともクロッチ部３ｂに略四角形状の薄肉部３１を設けている。これにより、本発明の吸収性物品１を、尿取りパッドを併用するテープ止めタイプ紙おむつや、パンツタイプ紙おむつ等の吸収性物品とした場合、薄肉部３１で、尿取りパッドを収容し、尿取りパッドの遊動を制御することができる。
【００２９】
薄肉部３１は、略四角形状の形状であればよく、正方形状や、吸収体３の長手方向に長辺が位置する長方形状であってもよい。
【００３０】
薄肉部３１の厚さは、吸収体３の厚さに対して６０％以上８０％以下であり、６５％以上７５％以下であることが好ましい。これにより、本発明の吸収性物品１を、尿取りパッドを併用するテープ止めタイプ紙おむつや、パンツタイプ紙おむつ等の吸収性物品とした場合、薄肉部３１で、尿取りパッドを収容することを可能とする。
【００３１】
薄肉部３１の厚さは、適宜設定することができるが、例えば、０．５ｍｍ以上２ｍｍ以下であることが好ましく、０．８ｍｍ以上１．５ｍｍ以下であることがより好ましい。
【００３２】
上層吸収体３０１及び下層吸収体３０２の厚さ方向の合計の寸法は、適宜設定することができるが、例えば、２ｍｍ以上８ｍｍ以下であることが好ましく、３ｍｍ以上５ｍｍ以下であることがより好ましい。なお、上層吸収体３０１及び下層吸収体３０２の厚さ方向の寸法は、同一であってもよく、同一でなくてもよい。
【００３３】
薄肉部３１の長手方向の寸法は、吸収体３の長手方向の寸法に対して５５％以上８５％以下であり、６５％以上７５％以下であることが好ましい。また、薄肉部３１における、吸収体３の長手方向中心線上の幅方向の寸法は、吸収体３の長手方向中心線上の幅方向の寸法に対して７０％以上９０％以下であり、７５％以上８５％以下であることが好ましい。これにより、本発明の吸収性物品１を、尿取りパッドを併用するテープ止めタイプ紙おむつや、パンツタイプ紙おむつ等の吸収性物品とした場合、薄肉部３１で、尿取りパッドを収容し、かつ尿取りパッドの遊動を制御することができる。
【００３４】
薄肉部３１の長手方向の寸法は、適宜設定することができるが、例えば、６００ｍｍ以上９５０ｍｍ以下であることが好ましく、６５０ｍｍ以上８５０ｍｍ以下であることがより好ましい。薄肉部３１の長手方向中心線上の幅方向の寸法は、適宜設定することができるが、例えば、２００ｍｍ以上５５０ｍｍ以下であることが好ましく、２４０ｍｍ以上４９０ｍｍ以下であることがより好ましい。
【００３５】
上層吸収体３０１の長手方向の寸法は、適宜設定することができるが、例えば、５５０ｍｍ以上１１００ｍｍ以下であることが好ましく、６００ｍｍ以上９００ｍｍ以下であることがより好ましい。また、下層吸収体３０２の長手方向の寸法は、適宜設定することができるが、例えば、５００ｍｍ以上１０００ｍｍ以下であることが好ましく、５７０ｍｍ以上８８０ｍｍ以下であることがより好ましい。なお、上層吸収体３０１の長手方向の寸法は、下層吸収体３０２の長手方向の寸法よりも大きいことが好ましい。
【００３６】
上層吸収体３０１及び下層吸収体３０２の長手方向中心線上の幅方向の寸法は、適宜設定することができるが、例えば、それぞれ１６０ｍｍ以上２５０ｍｍ以下であることが好ましく、１８０ｍｍ以上２３０ｍｍ以下であることがより好ましい。なお、上層吸収体３０１及び下層吸収体３０２の長手方向中心線上の幅方向の寸法は、同一であってもよく、同一でなくてもよい。
【００３７】
＜上層スリット部＞
図１に示すとおり、本発明の吸収性物品１は、上層吸収体３０１のクロッチ部３ｂに、上層吸収体３０１の長手方向に延在し、フラッフパルプ及び高吸収性ポリマーを含まない、直線状の上層スリット部３２１を４本設けており、４本の上層スリット部３２１は、上層吸収体３０１の幅方向に等間隔に位置し、かつ、上層吸収体３０１の幅方向中心線に対して対称である一対の上層スリット部３２１を２組有している。これにより、着用者の寝起きや寝返り等の日常動作に対しても、寝た状態で過ごす時間が長い着用者の着用時の外力等に対しても、吸収体３が追従して変形することを可能とする。そのため、本発明の吸収性物品１の吸収体３が、尿取りパッドの遊動を効率的に制御することができ、かつ吸収体３の保型性も良好なものとすることができる。
【００３８】
４本の上層スリット部３２１における、それぞれの幅方向の間隔は、適宜設定することができるが、１０ｍｍ以上５０ｍｍ以下であることが好ましく、２０ｍｍ以上３５ｍｍ以下であることがより好ましい。
【００３９】
（上層内側スリット部）
図３に示すとおり、上層吸収体３０１の幅方向中心線を挟んで内側に位置する一対の上層内側スリット部３２１ａの長手方向の各寸法は、上層吸収体３０１のクロッチ部３ｂの長手方向の寸法に対して７０％以上１００％以下であり、８５％以上１００％以下であることが好ましい。これにより、着用者の日常動作や着用時の外力等の影響を特に受けやすい、吸収体３の幅方向中心線付近において、吸収体３が良好に変形することを可能とする。
【００４０】
上層吸収体３０１における、一対の上層内側スリット部３２１ａの長手方向の寸法は、適宜設定することができるが、例えば、１００ｍｍ以上４００ｍｍ以下であることが好ましく、１５０ｍｍ以上３３０ｍｍ以下であることがより好ましい。
【００４１】
（上層外側スリット部）
図３に示すとおり、一対の上層内側スリット部３２１ａの外側に位置する一対の上層外側スリット部３２１ｂの長手方向の各寸法は、上層吸収体３０１のクロッチ部３ｂにおける長手方向の寸法に対して４０％以上６０％以下であり、５０％以上５６％以下であることが好ましい。これにより、着用者の日常動作や着用時の外力等の影響を受けやすい、吸収体３の幅方向中心線付近において、吸収体３が良好に変形することを可能とする。
【００４２】
上層吸収体３０１における、一対の上層外側スリット部３２１ｂの長手方向の寸法は、適宜設定することができるが、例えば、１００ｍｍ以上４００ｍｍ以下であることが好ましく、１５０ｍｍ以上３３０ｍｍ以下であることがより好ましい。
【００４３】
＜上層スリット部配置領域＞
図４に示すとおり、上層吸収体３０１の幅方向中心線から、一対の上層外側スリット部３２１ｂに至る上層スリット部配置領域３２３における、上層吸収体３０１の長手方向中心線上の幅方向の寸法は、上層吸収体３０１の長手方向中心線上の幅方向の寸法に対して５０％以上７０％以下であり、５４％以上６２％以下であることが好ましい。これにより、着用者の日常動作や着用時の外力に対して、吸収体３の保型性が良好なものとなることを可能とする。
【００４４】
上層吸収体３０１における、一対の上層内側スリット部３２１ａの幅方向の寸法は、適宜設定することができるが、例えば、それぞれ３ｍｍ以上２０ｍｍ以下であることが好ましく、３ｍｍ以上１５ｍｍ以下であることがより好ましい。また、上層吸収体３０１における、一対の上層外側スリット部３２１ｂの幅方向の寸法は、適宜設定することができるが、例えば、それぞれ３ｍｍ以上２０ｍｍ以下であることが好ましく、３ｍｍ以上１５ｍｍ以下であることがより好ましい。上層吸収体３０１における、一対の上層内側スリット部３２１ａの幅方向のそれぞれの寸法は、上層吸収体３０１における、一対の上層外側スリット部３２１ｂの幅方向のそれぞれの寸法と同一であってもよく、同一でなくてもよい。
【００４５】
上層吸収体３０１の幅方向の最長部分の寸法は、適宜設定することができるが、例えば、２５０ｍｍ以上５５０ｍｍ以下であることが好ましく、３００ｍｍ以上４８０ｍｍ以下であることがより好ましい。下層吸収体３０２の幅方向の最長部分の寸法は、適宜設定することができるが、例えば、８５ｍｍ以上３００ｍｍ以下であることが好ましく、１３０ｍｍ以上２５０ｍｍ以下であることがより好ましい。なお、上層吸収体３０１の幅方向の最長部分の寸法は、下層吸収体３０２の幅方向の最長部分の寸法よりも大きいことが好ましい。
【００４６】
＜下層スリット部＞
下層吸収体３０２のクロッチ部３ｂに、下層吸収体３０２の長手方向に延在し、フラッフパルプ及び高吸収性ポリマーを含まない、直線状の下層スリット部３２２を２本設け、２本の下層スリット部３２２は、上層吸収体３０１の上層内側スリット部３２１ａと、厚さ方向で少なくとも一部が重なるように配置されており、厚さ方向で全体が重なるように配置されていることが好ましい。また、２本の下層スリット部３２２は、下層吸収体３０２の幅方向に等間隔に位置することが好ましい。これにより、着用者の日常動作や着用時の外力を受けやすい上層吸収体３０１だけでなく、下層吸収体３０２においても、吸収体３が良好に変形し、尿取りパッドの遊動をより効率的に制御することができる。
【００４７】
下層スリット部３２２の長手方向の寸法は、適宜設定することができるが、例えば、１００ｍｍ以上３５０ｍｍ以下であることが好ましく、１７５ｍｍ以上２８０ｍｍ以下であることがより好ましい。また、下層スリット部３２２の幅方向の寸法は、適宜設定することができるが、例えば、それぞれ３ｍｍ以上２０ｍｍ以下であることが好ましく、３ｍｍ以上１５ｍｍ以下であることがより好ましい。また、下層スリット部３２２の幅方向の間隔は、適宜設定することができるが、例えば、１０ｍｍ以上５０ｍｍ以下であることが好ましく、２０ｍｍ以上３５ｍｍ以下であることがより好ましい。
【００４８】
図５（ａ）は、図１におけるＢ−Ｂ断面における上層スリット部３２１と下層スリット部３２２との厚さ方向での配置を説明するための説明図であり、図５（ｂ）は、図１における本発明の吸収性物品１に尿取りパッドを配置し、吸収性物品１の使用時を想定して吸収性物品１を撓ませたときにおける、図１のＢ−Ｂ断面を説明する説明図である。本発明の吸収性物品１において、上述した上層スリット部３２１が着用者の動きに追従して、非肌当接面が凸形状となるようなアーチ状に良好に変形することで、尿取りパッドの遊動を効率的に制御することができ、かつ吸収体３の保型性も良好なものとすることができることがわかる。
【００４９】
＜坪量＞
吸収体３は、基材としての吸収性繊維と、高吸収性ポリマー（ＳＡＰ）と、を含有する。上層吸収体３０１及び下層吸収体３０２のそれぞれの全体の坪量は、２００ｇ／ｍ２以上１０００ｇ／ｍ２以下であることが好ましく、２７０ｇ／ｍ２以上６６０ｇ／ｍ２以下であることがより好ましい。
【００５０】
（吸収性繊維）
吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体３に、基材としての吸収性繊維にフラッフパルプを用いた場合、吸収性繊維の坪量は、上層吸収体３０１の全体で、９０ｇ／ｍ２以上４００ｇ／ｍ２以下であることが好ましく、１５０ｇ／ｍ２以上３００ｇ／ｍ２以下であることがより好ましく、下層吸収体３０２の全体で、８０ｇ／ｍ２以上３８０ｇ／ｍ２以下であることが好ましく、８０ｇ／ｍ２以上２１０ｇ／ｍ２以下であることがより好ましい。これにより、肌触りを損なわずに、より多くの体液を吸収させることができる。
【００５１】
（高吸収性ポリマー）
吸収体３の高吸収性ポリマーとしては、体液を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。
【００５２】
吸収体３に含有されるＳＡＰの坪量は、上層吸収体３０１の全体で、１０ｇ／ｍ２以上１００ｇ／ｍ２以下であることが好ましく、２０ｇ／ｍ２以上６０ｇ／ｍ２以下であることがより好ましく、下層吸収体３０２の全体で、２０ｇ／ｍ２以上１２０ｇ／ｍ２以下であることが好ましく、２０ｇ／ｍ２以上９０ｇ／ｍ２以下であることがより好ましい。これにより、肌触りを損なわずに、より多くの体液を吸収させることができる。
【００５３】
上層吸収体３０１及び下層吸収体３０２において、吸収性繊維にフラッフパルプを用いた場合、フラッフパルプと高吸収性ポリマーの重量比は、それぞれ３：１から６：１であることが好ましく、４：１から５：１であることがより好ましい。これにより、高吸収性ポリマーによる吸収体３の保型性への影響を制御しつつ、吸収性能にも優れた吸収性物品とすることができる。
【００５４】
吸収体３において、吸収性繊維及びＳＡＰの形態は、吸収性繊維中にＳＡＰ粒子を混合して形成したもの、又は吸収性繊維間にＳＡＰ粒子を固着したＳＡＰシートであることが好ましい。また、ＳＡＰ粒子の漏洩防止や吸収体３の形状の安定化の目的から、吸収体３をキャリアシート（図示しない）に包んでもよい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００５５】
［吸収性物品の製造方法］
吸収性物品１の製造方法は、周知の方法を採用することができる。例えば、（Ａ）吸収性繊維を高吸収性ポリマーとともに積繊して上層吸収体マット及び下層吸収体マットを作製し、薄肉部３１や上層スリット部３２１等を形成した上で、上層吸収体３０１及び下層吸収体３０２を作製する工程、（Ｂ）トップシート２と立体ギャザー２１をホットメルト系接着剤等で固定・一体化する工程、（Ｃ）バックシートとファスニングテープ４１２をホットメルト系接着剤等で固定・一体化する工程、（Ｄ）トップシート２、立体ギャザー２１、及びバックシートの内側にホットメルト系接着剤を塗工する工程、（Ｄ）集合ドラムにおいて、上層吸収体３０１の上部にトップシート２を、下層吸収体３０２の下部にバックシートを配置し、各構成部材を固定・一体化する工程、（Ｅ）吸収性物品１の半製品をカッター装置により製品寸法でカットし、個々の吸収性物品１を切り離す工程、を有する製造方法等を挙げることができる。なお、各部材を一体化させる手段としては、ホットメルト接着剤の他、ヒートエンボス、超音波エンボス、高周波エンボス等を用いることができる。また、ファスニングテープ４１２は、あらかじめ、これを構成する基材に締結手段４１３を接着し、所定の形状に切断して、バックシートに接合してもよい。吸収性物品１をパッケージ等に収納するにあたっては、吸収性物品１を長手方向Ｙ及び幅方向Ｘに折りたためばよい。
【実施例】
【００５６】
以下、本発明について、実施例を挙げて詳細に説明する。なお、本発明は、以下に示す実施例に何ら限定されるものではない。
【００５７】
［実施例１］
〔吸収性物品の作製〕
パルプシートを粉砕して解繊したフラッフパルプと、高吸収性ポリマーとを共に積繊した上層吸収体マットを、長手方向の寸法が７２０ｍｍ、幅方向の寸法が４００ｍｍとなるようにカットし、フラッフパルプの重量４０ｇ、高吸収性ポリマーの重量８ｇとする上層吸収体を作製した。
【００５８】
上層吸収体のクロッチ部には、上層吸収体の長手方向に延在する、直線状の上層スリット部を４本設け、４本の上層スリット部は、上層吸収体の幅方向に等間隔に位置し、かつ、上層吸収体の幅方向中心線に対して対称である一対の上層スリット部を２組有するものとした。そして、上層吸収体の幅方向中心線を挟んで内側に位置する一対の上層内側スリット部の長手方向の寸法は、上層吸収体のクロッチ部の長手方向の寸法に対して１００％となり、一対の上層内側スリット部の外側に位置する上層外側スリット部の長手方向の寸法は、上層吸収体のクロッチ部の長手方向の寸法に対して５４％となり、上層吸収体の幅方向中心線から、一対の上層外側スリット部に至る上層スリット部配置領域における、上層吸収体の長手方向中心線上の幅方向の寸法は、上層吸収体の長手方向中心線上の幅方向の寸法に対して６０％となるように、上層スリット部をそれぞれ配置した。また、上層吸収体のクロッチ部に、長さ４１５ｍｍ、幅１５０ｍｍ、厚さ１．２ｍｍの略四角形状の薄肉部を設けた。
【００５９】
パルプシートを粉砕して解繊したフラッフパルプと、高吸収性ポリマーとを共に積繊した下層吸収体マットを、長手方向の寸法が６９０ｍｍ、幅方向の寸法が２００ｍｍとなるようにカットし、フラッフパルプの重量２０ｇ、高吸収性ポリマーの重量５ｇとする下層吸収体を作製した。
【００６０】
トップシート及びバックシートの間に、上層吸収体及び下層吸収体を積層した吸収体を配置し、長手方向の寸法が８３０ｍｍ、幅方向の寸法が５００ｍｍとなるようにカットし、吸収体の背側部において、バックシートの非肌当接面側にサイドパネルを設けてテープ止めタイプ紙おむつの吸収性物品を作製した。なお、トップシートには、エアスルー不織布（坪量１８ｇ／ｍ２）を用い、バックシートには、通気性ポリエチレンフィルム（坪量１８ｇ／ｍ２）を用いた。
【００６１】
テープ止めタイプ紙おむつの吸収性物品に関する構成については、上述したものも含め、表１に記載した。
【００６２】
なお、テープ止めタイプ紙おむつと併用する尿取りパッドを以下のように作製した。パルプシートを粉砕して解繊したフラッフパルプと、高吸収性ポリマーとを共に積繊した上層吸収体マットを、長手方向の寸法が４８５ｍｍ、幅方向の寸法が２３０ｍｍとなるようにカットし、フラッフパルプの重量２０ｇ、高吸収性ポリマーの重量７ｇとする上層吸収体と、パルプシートを粉砕して解繊したフラッフパルプと、高吸収性ポリマーとを共に積繊した下層吸収体マットを、長手方向の寸法が４８５ｍｍ、幅方向の寸法が９０ｍｍとなるようにカットし、フラッフパルプの重量１０ｇ、高吸収性ポリマーの重量９ｇとする下層吸収体とを作製し、トップシート及びバックシートの間に、上層吸収体及び下層吸収体を積層した吸収体を配置し、長手方向の寸法が５７０ｍｍ、幅方向の寸法が３００ｍｍとなるようにカットして、尿取りパッドとして使用できる吸収性物品を作製した。なお、トップシートには、エアスルー不織布（坪量１８ｇ／ｍ２）を用い、バックシートには、通気性ポリエチレンフィルム（坪量１８ｇ／ｍ２）を用いた。尿取りパッドとして使用できる吸収性物品の構成についても、表１に記載した。なお、構成がないものについては、「−」で示した。
【００６３】
〔パッドのズレ〕
車椅子を日常的に使用する８人のパネラーの協力の下、作製した実施例１のテープ止めタイプ紙おむつに、作製した尿取りパッドを配置した上で着用してもらい、尿取りパッドの遊動であるズレについて、官能評価を行った。官能評価は、装着後８時間使用し、日常動作によってパッドのズレがあるかないかの評価とした。表１には、パッドのずれがあるかないかの評価に対して、「ズレがない」の評価が６人以上８人以下のときを「〇」、「ズレがない」の評価が３人以上５人以下のときを「△」、「ズレがない」の評価が１人若しくは２人のとき又は「ズレがない」の評価が１人もいないときを「×」とした。
【００６４】
［比較例１及び比較例２］
比較例１及び比較例２の吸収性物品の作製方法は、実施例１と同様に作製し、比較例１及び比較例２における各吸収性物品の吸収体の構成等は表１に示した。また、比較例１及び比較例２におけるパッドのズレの官能評価は、実施例１と同様に行い、得られた評価は表１に示した。なお、構成がないものや、評価しない項目については、「−」で示した。
【００６５】
【表１】
2018102592.tif 000003
【００６６】
実施例１が示すように、上層吸収体の長手方向に延在し、上層吸収体の幅方向に等間隔に位置する直線状の上層スリット部を４本設け、上層吸収体の幅方向中心線に対して対称である一対の上層スリット部を２組有する構成の吸収性物品は、尿取りパッドのズレの評価が「〇」であった。このことから、着用者の寝起きや寝返り等の日常動作や、寝た状態で過ごす時間が長い着用者の着用時の外力等に追従して吸収体が変形することを可能とし、日常動作や外力等に対して吸収体が良好に変形する結果、尿取りパッドの遊動を効率的に制御することができ、かつ吸収体の保型性も良好な吸収性物品とすることができた。
【００６７】
一方で、比較例１や比較例２が示すように、上層スリット部を２本設けた場合や、上層スリット部を設けない場合の構成の吸収性物品は、尿取りパッドのズレの評価が「×」であった。このことから、上層スリット部に所定の４本のスリット部を所定の位置に設けない場合には、尿取りパッドの遊動を効率的に制御することができない吸収性物品となった。
【符号の説明】
【００６８】
１        吸収性物品
２        トップシート
２１      立体ギャザー
３        吸収体
３ａ      腹側部
３ｂ      クロッチ部
３ｃ      背側部
３０１    上層吸収体
３０２    下層吸収体
３１      薄肉部
３２１    上層スリット部
３２１ａ  上層内側スリット部
３２１ｂ  上層外側スリット部
３２２    下層スリット部
３２３    上層スリット部配置領域
４１      サイドフラップ
４１１    サイドパネル
４１２    ファスニングテープ
４１３    締結手段
４１４    つまみしろ
【図１】
2018102592.tif 000004
【図２】
2018102592.tif 000005
【図３】
2018102592.tif 000006
【図４】
2018102592.tif 000007
【図５】
2018102592.tif 000008